(57)【要約】【課題】散弾類が所定の範囲内の広がりを持ちながら、パターン全体として平均的な広がりを持つパターンを描くために有効で命中精度を大幅に向上させることができるライフリング付き散弾銃の銃身を提供しようとするものである。【解決手段】薬室から銃口に向かって、ライフリングを形成したライフリング部を銃身の１／２以下の長さに設けるとともに、銃腔壁を上記ライフリングの山と同じ高さとし、さらに銃身の先端に絞り部（チョーク）を形成したことを特徴とするライフリング付き散弾銃の銃身。【選択図】          図２
2005042977.tif 000002
【特許請求の範囲】
【請求項１】
薬室から銃口に向かって、ライフリングを形成したライフリング部を銃身の１／２以下の長さに設けるとともに、銃腔壁を上記ライフリングの山と同じ高さとし、さらに銃身の先端に絞り部（チョーク）を形成したことを特徴とするライフリング付き散弾銃の銃身。
【請求項２】
銃身の先端に形成した絞り部（チョーク）が、さらに銃口までを平らにしたものであることを特徴とする請求項１に記載のライフリング付き散弾銃の銃身。
【請求項３】
散弾類が、薬室での発射位置から銃口を出るまで、銃腔壁に沿って密着した状態で前進するようにして、散弾類（散弾ないしスラッグ弾）が原形を保ったまま発射されるようにしたことを特徴とする請求項１または請求項２に記載のライフリング付き散弾銃の銃身。
【発明の詳細な説明】
【技術分野】
【０００１】
この発明は、ライフリング付き散弾銃の銃身に関し、安全性および命中精度を大幅に向上させ、更に加工時のコスト削減に有効なライフリング付き散弾銃の銃身に関するものである。
【背景技術】
【０００２】
従来のライフル銃および散弾銃は図６（ｂ）および図７（ｂ）のような構造を有している。すなわち、銃身１１の銃腔部分１２の１／２以上にわたってライフリング１３が施されたライフリング部１４を備えているものである。そして、銃腔壁はライフリング１３の谷１４と同じ高さととしたものである。そのため、ライフリング部１４から銃口１５までの内壁を、切削等によってライフリング１３の谷１４の高さまで薄肉化している。
【０００３】
このようなライフル銃および散弾銃の例として、銃身の銃腔部分のライフリングの施されたライフリング部の先端部に、弾丸よりも径の大きなガイド部を設けたことを特徴とした、登録実用新案第３００１１４２号公報（特許文献１）に示すものがある。
【０００４】
また図８（ａ）〜（ｆ）は、銃口の形状と散弾類（散弾銃用）の発射後の散弾の広がりのパターンを示すものである。すなわち、（ｆ）から上に向かうにしたがって、銃身の先端に形成した絞り部（チョーク）を大きくしており、それとともに散弾の広がりのパターンがより小さくなっていることがわかる。
【０００５】
今日では素材の硬度、形状、バランス等によって多くの種類の実砲の散弾類（散弾ないしスラッグ弾…軟質の固体弾丸）がある。特にライフリング部の先端部に、散弾類よりも径の大きなガイド部を設けた散弾銃において、散弾類は発射されると同時にこのライフリング端部に食い込み、その後ライフリングの溝に沿って回転を与えられながら銃腔内を進行していく。
【０００６】
その後散弾類は、散弾類よりも径の大きなガイド部においてほとんど抵抗を受けることなく、上記回転を続けながら銃口から発射され、たとえば散弾粒では所定のパターンで広がりながら、標的に到達するのである。
【発明の開示】
【発明が解決しようとする課題】
【０００７】
確かに、上記従来例においては、散弾類と銃腔壁との間に隙間が介在し、これが散弾類に対してライフリング部において与えられた回転、特にこま（駒）のような自転と公転をともなう回転における、大きく振れる公転を吸収するために役立つことが判明している。
【０００８】
しかしながら、散弾類自体の命中精度は薬室側から銃身の１／２の長さのライフリング部位のみで出しており、散弾銃の銃身本来の構造の銃身の長さ全体で精度を出していたわけではない。
【０００９】
本発明者は上記従来例における問題点として、散弾粒（散弾銃用）の場合、発射後の散弾粒の広がりのパターンが図９（ａ）のような芯の部分に散弾粒がまとまってしまう不都合のあることを見出し、図９（ｂ）のような所定の範囲内の広がりを持ちながら、散弾粒が全体として平均的な広がりを持つパターンを描く銃身構造を得るため鋭意研究を続けた結果、本発明に到達したのである。
【００１０】
すなわちこの発明は、従来例の上記欠点を解消しようとするものであり、所定の範囲内の広がりを持ちながら、散弾粒全体として平均的な広がりを持つパターンを描くために有効で命中精度を大幅に向上させることができるライフリング付き散弾銃の銃身を提供しようとするものである。
【課題を解決するための手段】
【００１１】
すなわちこの発明のライフリング付き散弾銃の銃身は、薬室から銃口に向かって、ライフリングを形成したライフリング部を銃身の１／２以下の長さに設けるとともに、銃腔壁を上記ライフリングの山と同じ高さとし、さらに銃身の先端に絞り部（チョーク）を形成したことを特徴とするものである。
【００１２】
この発明のライフリング付き散弾銃の銃身は、上記銃身の先端に形成した絞り部（チョーク）が、さらに銃口までを平らにしたものであることをも特徴とするものである。
【００１３】
この発明のライフリング付き散弾銃の銃身は、上記散弾類が、薬室での発射位置から銃口を出るまで、銃腔壁に沿って密着した状態で前進するようにして、散弾類（散弾ないしスラッグ弾）が原形を保ったまま発射されるようにしたことをも特徴とするものである。
【発明の効果】
【００１４】
この発明は以上のように構成したので、散弾類が所定の範囲内の広がりを持ちながら、パターン全体として平均的な広がりを持つパターンを描くために有効で命中精度を大幅に向上させることが可能なライフリング付き散弾銃の銃身を提供することができる。
【００１５】
さらに、銃腔の全長に比して実際のライフリング部の全長が短いので、ブローチ加工に要する時間及びコストの低減が可能である。
【発明を実施するための最良の形態】
【００１６】
以下この発明のライフリング付き散弾銃の銃身の実施の形態を、図面に基づいて詳細に説明する。
【００１７】
図１はライフリング付き散弾銃の銃身１の縦断面図、図２は銃腔内での散弾類の挙動を示す縦断面図、図３は実包から散弾粒が出ている状態を示す縦断面図、図４は銃腔壁（ライフリング部）の断面形状を示す横断面図、図５は銃身先端の絞り部（チョーク）の形成状態を示す概略断面図、図６（ａ）は本発明における銃腔壁の構造を示す概略拡大横断面図、（ｂ）は従来例における銃腔壁の構造を示す概略拡大横断面図、図７（ａ），（ｂ）はそれぞれその縦断面図、図８（ａ）〜（ｆ）は、銃口の形状と散弾類（散弾銃用）の発射後の散弾の広がりのパターンを示す説明図、図９（ａ）は本発明における散弾類の広がりのパターンを示す正面図、（ｂ）は従来例における散弾類の広がりのパターンを示す正面図である。
【００１８】
図１ないし図３において、銃身１は、薬室Ａから銃口に向かってライフリング部Ｂ、スムースボア部Ｃ、絞り部（チョーク）Ｄが、この順序で連設されて全体として一の銃身１を構成している。
【００１９】
ライフリング部Ｂの直径はスムースボア部Ｃの直径と同一であり、スムースボア部Ｃにライフリングはなくスムースボア形状をなしている。上記ライフリング部Ｂの直径とはライフリング山径を意味し、このライフリング山径とスムースボア部Ｃの直径とが同一の径を構成している。いいかえると、ライフリング谷径はスムースボア部Ｃの直径よりも掘り下げされているのである。
【００２０】
ライフリング部Ｂは、基端のライフリングの導入部分に第１のテーパ（コーン）２が形成されている。ライフリングの山はこの部分から所望角度をもって徐々にライフリング高さｈに達する様に形成されている。また、先端のライフリングの消滅部分には第２のテーパ３が形成されている。ライフリングの谷はこの部分から所望角度をもって徐々にスムースボア部Ｃの直径に達する様に形成されている。このような構造はライフル銃のライフル弾丸には適用されない。専ら散弾銃用の散弾粒群や、柔軟性を持つ軟質の散弾銃用の固体弾丸−スラッグ弾になじむ、銃身全体の構造である。
上記において、ライフリング部Ｂの長さは銃身１の１／２以下の長さであることが望ましい。ちなみに銃身全体の長さにもよるが、銃身１の１／４〜１／２の範囲で形成することができる。
このようなライフリング部Ｂの形状を銃口の基端部から先端に向けて俯瞰した状態を図４に示す。
【００２１】
図５は銃身先端の絞り部（チョーク）の形成状態を示すもので、銃身１の先端に交換可能な交換式絞り部（チョーク）部材４を取り付けた状態を示している。
【００２２】
図６（ａ），図７（ａ）は本発明における銃腔壁の構造を示し、図６（ｂ），図７（ｂ），は従来例における銃腔壁の構造を示すもので、本発明における銃腔壁においては、ライフリング部Ｂの直径がスムースボア部Ｃの直径と同一であり、スムースボア部Ｃにライフリングはなくスムースボア形状をなしている。そして、上記ライフリング部Ｂの直径とはライフリング山径を意味し、このライフリング山径とスムースボア部Ｃの直径とが同一の径を構成していることを示している。他方、従来例における銃腔壁においても、ライフリング部Ｂの直径はスムースボア部Ｃの直径と同一であるが、この場合の上記ライフリング部Ｂの直径とはライフリング谷径を意味し、このライフリング谷径とスムースボア部Ｃの直径とが同一の径を構成していることを示している。
【００２３】
以上のような銃身の断面構造としたことにより、先ず薬室Ａから発射された散弾類（散弾ないしスラッグ弾）５はライフリング部Ｂに進む。その際、散弾類５は発射時の爆発の影響で膨張し（クラブヘッドに当たって時のゴルフボールのひずみ、バットに当たったときの野球用ボールのひずみ等参照）、ライフリングに食い込みながら前進するので、散弾類５にはこのライフリング部Ｂにおいて十分な回転運動が与えられる。このような挙動を示す散弾類としては、通常の散弾のみならずスラッグ弾もあげることができる。すなわち、この発明のライフリング付き散弾銃の銃身は、スラッグ弾にも適用が可能である。
【００２４】
なお、ライフリング部Ｂのテーパ２およびテーパ３部分でライフリングが徐々に高くなり、また解消されるので、散弾類５は従来のように衝撃的にライフリング部Ｂに食い込むのではなく、馴染みながらライフリングに食い込まれていくので、衝撃が著しく小さくなり、銃身１の膨張等も極めて少なく銃身１の破損を防ぐことができる。
【００２５】
その後散弾類５はスムースボア部Ｃに抜ける。このスムースボア部Ｃにはライフリング５がなく内面が円滑であるとともに、散弾類５の直径と同じ径に形成されているので、散弾類５はスムースボア部Ｃの銃腔壁に密着した状態で直進しながら直径方向の振動が抑えられ、絞り部（チョーク）Ｄで散弾が散逸しない方向に収束させられながら、銃口から発射される。
【００２６】
上記実施例における散弾類（散弾銃用）の発射後の散弾の広がりのパターンは、図９（ｂ）のような所定の範囲内の広がりを持ちながら、パターン全体として平均的な広がりを持つものであり、クレイ射撃等における標的への命中精度を飛躍的に向上させることが可能となる。また、スラッグ弾（軟質の固体弾丸）においては弾丸に回転が付与されるので、標的の命中精度と集弾率が大幅に向上する。
【産業上の利用可能性】
【００２７】
この発明のライフリング付き散弾銃の銃身は以上のように構成したので、当初の製造工程においてライフリングを施されたライフリング付き散弾銃の銃身としてのみならず、既存の散弾銃の銃身にライフリングを施してライフリング付き散弾銃の銃身を得る場合等においても適宜この構造を採用することができる。
【図面の簡単な説明】
【００２８】
【図１】ライフリング付き散弾銃の銃身１の縦断面図である。
【図２】銃腔内での散弾類の挙動を示す縦断面図である。
【図３】実包から散弾粒が出ている状態を示す縦断面図である。
【図４】銃腔壁（ライフリング部）の断面形状を示す横断面図である。
【図５】銃身先端の絞り部（チョーク）の形成状態を示す概略断面図である。
【図６】（ａ）は本発明における銃腔壁の構造を示す概略拡大横断面図、（ｂ）は従来例における銃腔壁の構造を示す概略拡大横断面図である。
【図７】（ａ），（ｂ）はそれぞれその縦断面図である。
【図８】（ａ）〜（ｆ）は、銃口の形状と散弾類（散弾銃用）の発射後の散弾の広がりのパターンを示す説明図である。
【図９】（ａ）は本発明における散弾の広がりのパターンを示す正面図、（ｂ）は従来例における散弾の広がりのパターンを示す正面図である。
【符号の説明】
【００２９】
１  銃身
２，３  テーパ
４  絞り部（チョーク）部材
５  散弾類
Ａ  薬室
Ｂ  ライフリング部
Ｃ  スムースボア部
Ｄ  絞り部（チョーク）
ｈ  ライフリング高さ
【図１】
2005042977.tif 000003
【図２】
2005042977.tif 000004
【図３】
2005042977.tif 000005
【図４】
2005042977.tif 000006
【図５】
2005042977.tif 000007
【図６】
2005042977.tif 000008
【図７】
2005042977.tif 000009
【図８】
2005042977.tif 000010
【図９】
2005042977.tif 000011